(57)【特許請求の範囲】
【請求項１】
原稿トレイから１枚ずつ分離して給送される原稿を、Ｕターン部を介して読取部を通過させるように構成してなる原稿搬送装置において、
前記読取部とその直前の原稿搬送ローラの間に設けられ、原稿搬送面に開口する凹所と、
前記凹所の原稿搬送方向下流側の側壁に形成された傾斜面と、
前記傾斜面に沿うように配置された弾性フィルムと、
前記読取部の対向面に取り付けられたシェーディング用白フィルムと、が設けられ、
前記弾性フィルムの一端部である基部は前記凹所の底面に固定されており、さらに前記弾性フィルムの他端部は、前記シェーディング用白フィルムの上流側端部に向けて突出するように取り付けられていることを特徴とする原稿搬送装置。
【発明の詳細な説明】
【０００１】
【発明の属する技術分野】
本発明は、Ｕ字型に湾曲した原稿搬送路に沿って、原稿を搬送しながら読取りを行う装置に関し、特に、読取部での原稿のバタつきを抑制しながら読取りを行う原稿搬送装置に関する。
【０００２】
【従来の技術】
Ｕ字型に湾曲した原稿搬送路に沿って原稿を搬送しながら、原稿の画像の読取りを行う装置は、ファクシミリ装置や画像形成装置の画像読取装置に用いられているものであり、装置を小型に構成できるという利点がある。前記画像読取装置においては、原稿トレイと排出トレイとを上下に重ねる状態に配置し、両トレイを接続する原稿搬送路を略Ｕ字状に構成している。また、前記Ｕ字状に湾曲させた原稿搬送路の転向部の内側には大径の搬送ローラを配置しており、前記ローラの下流部で、ローラによるニップ作用が行われない位置に読取部を設けている。前記読取部にはプラテンガラスと対向させてシェーディング用白プレートを配置し、前記プラテンガラスの裏面側に画像読取のための光学系の部材を配置しており、原稿の画像面をプラテンに押圧する状態で移動させながら読取りの動作を行うようにしている。
【０００３】
【発明解決しようとする課題】
ところが、前述したように、プラテンガラスに原稿の画像面を摺動させながら読取りを行う装置では、読取りに用いる原稿が鉛筆書きのものであったり、原稿面に修正液を塗った場合等には、その修正液がプラテンガラスに移転してプラテンガラスを汚すことがある。前記原稿搬送路を略Ｕ字状に構成している装置では、原稿を強制的に湾曲させながら搬送するために、原稿に付着している消しゴムのかすや紙粉等の異物が剥離しやすいという問題がある。また、前記原稿から遊離した紙粉やその他の異物が読取部の上流部に溜まっている場合には、原稿の移動に追従してプラテンガラスにまで移動して読取部に付着することがあり、画像の読取り情報が不鮮明となったりするという問題がある。さらに、前記原稿の画像読取を行う部分は、搬送ローラ装置による規制が行われない部分に設けられていることから、原稿の後端部が搬送ローラ装置のニップから外れた瞬間にバタつくことがあり、読み取った画像の品質が低下するという問題が発生する。
【０００４】
本発明は、前述したような従来の装置の問題を解消するもので、原稿をプラテンガラスに摺動させないように案内するとともに、読取部での原稿のバタつきが生じないような装置を提供することを目的としている。
【０００５】
【課題を解決するための手段】
本発明は、原稿トレイから１枚ずつ分離して給送される原稿を、Ｕターン部を介して読取部を通過させるように構成してなる原稿搬送装置に関するもので、
前記読取部とその直前の原稿搬送ローラの間に設けられ、原稿搬送面に開口する凹所と、前記凹所の原稿搬送方向下流側の側壁に形成された傾斜面と、前記傾斜面に沿うように配置された弾性フィルムと、前記読取部の対向面に取り付けられたシェーディング用白フィルムと、が設けられ、
前記弾性フィルムの一端部である基部は前記凹所の底面に固定されており、さらに前記弾性フィルムの他端部は、前記シェーディング用白フィルムの上流側端部に向けて突出するように取り付けられていることを特徴とする。
【０００６】
前述したように構成し、前記弾性フィルムにより原稿をプラテンガラスに対向する面に向けて押圧することにより、原稿のバタつきが生じることを阻止し、画像読取りの品質が低下することを防止できる。また、原稿の画像面をプラテンガラスに摺動させないようにして案内するので、プラテンガラスが汚れることがなく、前記読取部の上流に設けた凹所に、原稿から遊離した異物を貯留することができ、それ等の異物がプラテンガラスにまで移動することを防止できる。さらに、前記凹所に弾性フィルムの基部を取り付けることにより、前記フィルムの固定作用を良好に行うことができ、フィルムの先端部の弾性を有効に発揮することができる。そして、シェーディング用白フィルムの上流側端部の直前部にまで、弾性フィルムの先端部を突出させて設けていることから、前記弾性フィルムの先端部が、原稿の画像を読取る位置の直前部まで、プラテンガラスの対向面に押圧するので、原稿の後端部がバタつきを生じることはなくなる。
【０００７】
【発明の実施の形態】
図示される例にしたがって、本発明の原稿搬送装置を説明する。図１には本発明の原稿搬送部１０の構成を示しているもので、原稿トレイ７にセットした原稿を、１枚ずつ分離してプラテンガラス２１に対応させて配置する読取部２０の部分を、原稿が通過する際に画像の読取りを行うようにしている。前記原稿搬送部１０においては、原稿トレイ７から原稿を取り出すためのピックアップローラ１１を、原稿を送る際にのみ押圧する機構を設け、その下流部にフィードローラ１２とリタードローラ１３からなる用紙さばき装置を配置して、原稿搬送路５内で搬送を行う。前記原稿搬送路５は、略Ｕ字状に湾曲させて構成しており、湾曲路の転向部には搬送ローラ１５を配置し、前記搬送ローラ１５に対して配置するプレッシャーローラ１６、１７により、原稿Ｐを搬送ローラに押圧しながら搬送作用を行わせている。
【０００８】
前記搬送ローラ１５の下流部に読取部２０を設けており、原稿Ｐの通路を挟むようにプラテンガラス２１と、シェーディング用白フィルム（以下白フィルムと呼ぶ）２２とを対向させて所定の間隔を介して配置し、前記プラテンガラス２１の下部に配置する読取り装置により画像の読取りを行い、読取部を通過した原稿Ｐは、排出ローラ装置１８を介して排出する。前記読取部２０の上流部には凹所２３を設けて、前記凹所２３には原稿が搬送ローラ１５により湾曲された際に、紙から分離された紙粉やその他の異物を収容できるように構成しているが、その凹所の巾と深さ等は、その作用が良好に行われ得るものであれば任意に設定が可能である。また、前記凹所２３の底部には、止めねじ２７と両面テープ２６とを用いて弾性フィルム２５の基部を固定しており、前記弾性フィルム２５の端部２５ａを、白フィルム２２の先端部に近接する位置まで延長して設け、原稿を案内させるようにしている。
【０００９】
前記弾性フィルム２５は、任意のプラスチックフィルムを使用することができるもので、例えば、ＰＥＴ（ポリエチレンテレフタレート）フィルムの厚さが０．１〜０．２mm程度のものを使用すると、原稿を白フィルムに向けて案内する動作を良好に行わせることができる。その他に、同様な作用を行うものであれば、任意の材料で構成したフィルム部材、またはシート状のものを用いても良いが、用紙との摩擦により、強力に帯電するような性質を有する材料は適当ではない。また、前記弾性フィルム２５が原稿搬送路の上のガイド部材に押圧する力に対して、一般のコピーに使用する用紙類は勿論のこと、トレーシングペーパー等のように、比較的薄くて腰の弱い用紙類を用いた場合でも、読取部を容易に通過できる程度に設定する必要があるが、前記ＰＥＴフィルムの厚さが０．１〜０．２mmのものを用いた場合には、十分にその要求を満たすことが可能である。そして、前述したような性質を有する弾性フィルムの先端部を白フィルム２２の上流側端部にまで達するように延長して配置することにより、原稿の後端部がローラのニップ部を外れてから、弾性フィルムの先端部を通過し終えるまでの間は、原稿の後端部にバタつきが生じたりしないように保持することができる。
【００１０】
前記原稿搬送路の転向部の下部に配置する凹所２３と弾性フィルム２５とは、図２に詳細に説明するように構成されているが、凹所２３に取り付ける弾性フィルム２５は、原稿が摺動することにより、引っ張り方向の力が加えられるので、基部の固定を確実に行い得るようにすることが求められる。そこで、本実施例においては、弾性フィルム２５の基部を両面テープ２６と止めねじ２７とを用いて、固定・保持作用を良好に行い得るようにしているが、その他に、任意の固定手段を用いることができる。また、本実施例においては、後述するように、原稿の画像面はプラテンガラス２１に摺動することはないので、読取り装置の画像読取りの焦点は白フィルム２２の表面に近い位置に設定される。
【００１１】
前記原稿案内部において、原稿の先端部が搬送ローラ１５とプレッシャーローラ１７によるニップ部から離れると、弾性フィルム２５の斜面部に当接してから、弾性フィルムに沿って読取り位置に案内され、弾性フィルムの先端部２５ａにより白フィルム２２に摺動するようにして案内され、プラテンガラス２１の部分で読取り装置により読取りの動作が行われる。また、原稿の先端部が排出ローラ装置によりニップされて、読取部の上下流部で原稿に張力を付与している状態となるまでは、弾性フィルム２５により原稿を白フィルムに向けて押圧しながら案内し、その後に、上下流部のローラ装置により一定の張力を付与した状態で、画像の読取りを継続する。そして、原稿の後端部が前記搬送ローラによるニップ部から離れた際にも、前記弾性フィルム２５の端部が原稿を白フィルムに向けて押圧しているために、原稿の後端部にバタつきが生じることがなく、読取部で原稿が振動したりすることが防止され、画像の読取りの動作を安定した状態で行うことができる。
【００１２】
前述したように構成した原稿搬送装置は、図３に示すような画像読取装置に設けることができる。図３に示す原稿搬送装置１は、ファクシミリ装置や複写機に組み込んで構成することができるもので、原稿搬送装置１に対応させて配置する読取り装置３０においては、フレーム３１の上面に移動する原稿の読取りのためのプラテンガラス２１と、原稿を固定してセットするプラテンガラス３２とを配置している。前記フレームの内部には、ランプ３４とミラーｍ１とを保持するフルレートキャリッジ３３と、２つのミラーｍ２、ｍ３を設けたハーフレートキャリッジ３５とを設けており、前記２つのキャリッジを、駆動プーリ３６、３６ａにより駆動している。前記駆動プーリ３６に対して、駆動プーリ３６ａは半分の直径のものとして構成されており、ワイヤまたはタイミングベルト３７、３７ａを介して駆動される２つのキャリッジ３３、３５を介して、原稿の画像を読み取った光情報を、レンズ３８を介してＣＣＤのような光電変換素子３９に結像され、ＣＣＤ３９から電気信号として出力される。
【００１３】
前記読取り装置３０において、プラテンガラス３２に対して原稿をセットした場合には、前記２つのキャリッジ３３、３５は、原稿の長さに対応する距離だけ移動されながら画像の読取りの動作を行う。また、原稿搬送装置１の機能を用いて原稿の読取りを行う場合には、前記２つのキャリッジは、図の左側の仮想線で描いた位置に固定されて、プラテン２１の部分で画像の読取りの動作を行うようにする。そして、前記２つの読取り方式は任意に選択が可能であり、例えば、装置のコントロールパネルのボタンを用いて入力することによっても読取装置を選択できる。また、原稿を原稿搬送装置の原稿トレイにセットすることや、プラテン３２に対して原稿をセットすること等により、読取り装置の動作を自動的に選択することも可能である。
【００１４】
前記図３に示す例において、原稿搬送装置１の原稿搬送部１０はフレームの一方の側部に配置されており、プラテンガラス３２に対応するカバー６には、排出トレイ８を一体に設けている。さらに、前記排出トレイ８の上部には原稿トレイ７を配置して、原稿を原稿搬送部に設けたＵ字状の原稿搬送路に沿わせて搬送し、原稿の搬送の途中で画像の読取りを行うとともに、前記２つのトレイを上下に配置することにより、装置の占める面積が大きくならないように構成している。また、前記原稿搬送装置において、原稿搬送部１０に配置するローラ部材を、上部フレーム２と中間フレーム３にそれぞれ組み込んで構成し、前記２つのフレームを支点４を介して揺動させることによって、原稿搬送路の開放と装置の点検等に対処させている。
【００１５】
【発明の効果】
本発明の装置は、前述したように構成しているものであり、原稿の画像の読取部直前に、原稿を読取部の対向面に押圧するための弾性フィルムを配置し、原稿をプラテンガラスに対向する面に向けて押圧することにより、原稿のバタつきが生じることを阻止し、画像読取りの品質が低下することを防止できる。そして、原稿の画像面をプラテンガラスに摺動させないようにして案内するので、プラテンガラスが汚れることがない。前記構成に加えて、読取部とその直前の原稿搬送ローラとの間に、原稿搬送面に開口する凹所を設け、前記凹所を介して弾性フィルムの基部を固定することにより、前記読取部の上流に設けた凹所に、原稿から遊離した異物を貯留することができ、それ等の異物がプラテンガラスにまで移動することを防止できる。また、前記凹所に弾性フィルムの基部を取り付けることにより、前記フィルムの固定作用を良好に行うことができ、フィルムの先端部の弾性を有効に発揮することができる。さらに、前記読取部の対向面に設けたシェーディング用白プレートの上流側端部の直前部にまで、弾性フィルムの先端部を突出させて設けるので、前記弾性フィルムの先端部が、原稿の画像を読取る位置の直前部まで、プラテンガラスの対向面に押圧することにより、原稿の後端部にバタつきが生じることはなく、読取り画像の画質が乱れを生じたりすることはなくなる。
【図面の簡単な説明】
【図１】  本発明の装置の構成を示す説明図である。
【図２】  弾性フィルムの配置状態の説明図である。
【図３】  本発明の原稿搬送装置を適用可能な自動原稿搬送装置の構成を示す説明図である。
【符号の説明】
１    原稿搬送装置、  ２    上部フレーム、  ３    中間フレーム、
５    原稿搬送路、  ７    原稿トレイ、  ８    排出トレイ、
１０    原稿搬送部、  １１    ピックアップローラ、
１２    フィードローラ、  １５    搬送ローラ、
１８    排出ローラ装置、  ２０    読取部、  ２１    プラテンガラス、
２２    白フィルム、  ２３    凹所、  ２５    弾性フィルム、
２６    両面テープ、  ２７    止めねじ、  ３０    読取り装置、
３２    プラテンガラス、  ３３・３５    キャリッジ、
３８    レンズ、  ３９    ＣＣＤ。
【図１】
0003849245.tif 000002
【図２】
0003849245.tif 000003
【図３】
0003849245.tif 000004